(57)【要約】【課題】鈴を所定の打鈴間隔で自動的に鳴らし続けることができる打鈴装置を提供する。【解決手段】金属製椀状の鈴１と、該鈴１を打ち鳴らすための鈴棒２と、該鈴棒２を駆動して上記鈴１を打ち鳴らす鈴棒駆動部３と、該鈴棒駆動部３を所定間隔で間欠的に作動させる作動制御部４を備える。係る構成によれば、鈴１を所定間隔で打ち鳴らし続けることができ、例えば、これを通夜の席において使用すれば、人手を煩わせることなく長時間に亘って自動的に鈴１を打ち鳴らし続けることができるため、通夜の席での鈴鳴らしの労力が解消され、特に鈴鳴らしをする立場にあった近親者等にとっては極めて有益である。【選択図】図１
2019170990.tif 000002
【特許請求の範囲】
【請求項１】
金属製椀状の鈴（１）と、該鈴（１）を打ち鳴らすための鈴棒（２）と、該鈴棒（２）を駆動して上記鈴（１）を打ち鳴らす鈴棒駆動部（３）と、該鈴棒駆動部（３）を所定間隔で間欠的に作動させる作動制御部（４）を備えたことを特徴とする打鈴装置。
【請求項２】
請求項１において、
上記鈴棒駆動部（３）が、軸方向中間位置が略鉛直方向に延びる回転軸（１２）によって略水平方向に搖動可能に枢支された上記鈴棒（２）を打鈴方向に回動付勢するバネ材（１４）と、常時略水平面に沿って回転駆動される係合ピン（１７）と上記鈴棒（２）の端部に設けた係合カム部（１８）との係合によって該鈴棒（２）を反打鈴方向に所定幅だけ回動させるカム機構（２０）で構成される一方、
上記作動制御部（４）は、上記カム機構（２０）における上記係合ピン（１７）と上記係合カム部（１８）との係合期間を該係合ピン（１７）の一回転中の一部領域とすることで構成されていることを特徴とする打鈴装置。
【請求項３】
請求項１において、
上記鈴棒駆動部（３）が、軸方向中間位置が略鉛直方向に延びる回転軸（１２）によって略水平方向に搖動可能に枢支された上記鈴棒（２）を打鈴方向に回動付勢するように配置されたバネ材（１４）と、該バネ材（１４）の端部にその作動子（２３）が連結され且つそのＯＮ作動時に上記バネ材（１４）に引張力を負荷するソレノイド（２２）で構成される一方、
上記作動制御部（４）は、上記ソレノイド（２２）に間欠的に電流を供給するリレースイッチ（２５）で構成されていることを特徴とする打鈴装置。
【発明の詳細な説明】
【技術分野】
【０００１】  本願発明は、仏事において使用される仏具の一つであって、鈴とこれを打つ鈴棒で構成される打鈴装置に関するものである。
【背景技術】
【０００２】  仏式葬儀の通夜の席においては、鈴の音によって死者の魂を黄泉の国に導くという磐余から、近親者が被葬者の枕元で鈴を打ち鳴らし続けるのが通例となっている。【０００３】  しかし、一晩中、鈴を打ち鳴らし続けるのは精神的、肉体的にかなり厳しく、特に昨今のように核家族化の進展により通夜の席に訪れる人数が少なくなる状況下においては、少人数が交替で鈴を打ち鳴らし続けなければならないことが多く、これらの者に過度の負担を与えることになることから、何らかの対策、例えば、人手を煩わせることなく鈴を鳴らし続けるための技術の開発が要請されるところである。【０００５】  しかしながら、現時点においては、特許文献１，２にも開示されるように、鈴及び鈴を鳴らす鈴棒についての提案は多数されているものの、人手を煩わせることなく鈴を鳴らし続けるための技術に関しては、何らの提案もされていない。
【先行技術文献】
【特許文献】
【０００６】
【特許文献１】実用新案登録第３０９１５６５号公報
【特許文献２】特開２００７−５４２８７号公報
【発明の概要】
【発明が解決しようとする課題】
【０００７】  そこで本願発明は、鈴を所定の打鈴間隔で自動的に鳴らし続けることができる打鈴装置を提供することを目的としてなされたものである。
【課題を解決するための手段】
【０００８】  本願発明ではかかる課題を解決するための具体的手段として次のような構成を採用している。【０００９】  本願の第１の発明に係る打鈴装置では、金属製椀状の鈴１と、該鈴１を打ち鳴らすための鈴棒２と、該鈴棒２を駆動して上記鈴１を打ち鳴らす鈴棒駆動部３と、該鈴棒駆動部３を所定間隔で間欠的に作動させる作動制御部４を備えたことを特徴としている。【００１０】  本願の第２の発明では、上記第１の発明に係る打鈴装置において、上記鈴棒駆動部３を、軸方向中間位置が略鉛直方向に延びる回転軸１２によって略水平方向に搖動可能に枢支された上記鈴棒２を打鈴方向に回動付勢するバネ材１４と、常時略水平面に沿って回転駆動される係合ピン１７と上記鈴棒２の端部に設けた係合カム部１８との係合によって該鈴棒２を反打鈴方向に所定幅だけ回動させるカム機構２０で構成する一方、上記作動制御部４を、上記カム機構２０における上記係合ピン１７と上記係合カム部１８との係合期間を該係合ピン１７の一回転中の一部領域として構成したことを特徴としている。【００１１】  本願の第３の発明では、上記第１の発明に係る打鈴装置において、上記鈴棒駆動部３を、軸方向中間位置が略鉛直方向に延びる回転軸１２によって略水平方向に搖動可能に枢支された上記鈴棒２を打鈴方向に回動付勢するように配置されたバネ材１４と、該バネ材１４の端部にその作動子２３が連結され且つそのＯＮ作動時に上記バネ材１４に引張力を負荷するソレノイド２２で構成する一方、上記作動制御部４は、上記ソレノイド２２に間欠的に電流を供給するリレースイッチ２５で構成したことを特徴としている。
【発明の効果】
【００１２】  本願発明では次のような効果が得られる。【００１３】  （ａ）本願の第１の発明
本願の第１の発明に係る鈴装置では、金属製椀状の鈴１と、該鈴１を打ち鳴らすための鈴棒２と、該鈴棒２を駆動して上記鈴１を打ち鳴らす鈴棒駆動部３と、該鈴棒駆動部３を所定間隔で間欠的に作動させる作動制御部４を備えているので、鈴１を自動的に所定間隔で打ち鳴らし続けることができ、例えば、これを通夜の席において使用すれば、人手を煩わせることなく長時間に亘って自動的に鈴１を打ち鳴らし続けることができるため、通夜の席での鈴鳴らしの労力が解消され、特に鈴鳴らしをする立場にあった近親者等にとっては極めて有益である。【００１４】  また、鈴１を鈴棒２によって打鈴するという形態は、人手によって鈴１を鈴棒２によって打鈴して鳴らす場合と共通するところから、周囲の人々に与える違和感は少なく、通夜の厳粛な雰囲気が保たれる。【００１５】  （ｂ）本願の第２の発明に係る鈴装置では、上記（ａ）に記載の効果に加えて、以下のような特有の効果が得られる。即ち、この発明では、上記鈴棒駆動部３を、軸方向中間位置が略鉛直方向に延びる回転軸１２によって略水平方向に搖動可能に枢支された上記鈴棒２を打鈴方向に回動付勢するバネ材１４と、常時略水平面に沿って回転駆動される係合ピン１７と上記鈴棒２の端部に設けた係合カム部１８との係合によって該鈴棒２を反打鈴方向に所定幅だけ回動させるカム機構２０で構成する一方、上記作動制御部４を、上記カム機構２０における上記係合ピン１７と上記係合カム部１８との係合期間を該係合ピン１７の一回転中の一部領域として構成したので、打鈴装置が故障の少ない簡易な構造となり、耐久性及び信頼性が担保される。【００１６】  （ｃ）本願の第３の発明に係る鈴装置では、上記（ａ）に記載の効果に加えて、以下のような特有の効果が得られる。即ち、この発明では、上記鈴棒駆動部３を、軸方向中間位置が略鉛直方向に延びる回転軸１２によって略水平方向に搖動可能に枢支された上記鈴棒２を打鈴方向に回動付勢するように配置されたバネ材１４と、該バネ材１４の端部にその作動子２３が連結され且つそのＯＮ作動時に上記バネ材１４に引張力を負荷するソレノイド２２で構成する一方、上記作動制御部４は、上記ソレノイド２２に間欠的に電流を供給するリレースイッチ２５で構成したので、該ソレノイド２２の作動速度が速くても、上記鈴棒２とソレノイド２２の作動子２３の間には上記バネ材１４が存在しており、このバネ材１４が上記鈴１と上記鈴棒２の衝突力を緩和させるクッション的な役目をなし、人手によって鈴１を鈴棒２で打鈴して鳴らす場合と遜色のない軟らかい音色で鈴１を鳴らすことができる。【００１７】  また、上記ソレノイド２２のＯＮ−ＯＦＦ動作がリレースイッチ２５によって行われることで、該ソレノイド２２の作動の確実性、延いては上記鈴棒２による打鈴動作の確実性が担保され、打鈴装置の信頼性が向上する。
【図面の簡単な説明】
【００１８】
【図１】  本願発明の第１の実施形態に係る打鈴装置の全体斜視図である。
【図２】  図１に示した打鈴装置の平面図である。
【図３】  本願発明の第２の実施形態に係る打鈴装置の全体斜視図である。
【図４】  図３に示した鈴装置の平面図である。
【発明を実施するための形態】
【００１９】「第１の実施形態」
図１及び図２には、本願発明の第１の実施形態に係る打鈴装置Ｚを示している。この打鈴装置Ｚは、間欠的な鈴鳴らしを長時間に亘って自動的行うものであって、金属製椀状の鈴１と、該鈴１を打ち鳴らすための鈴棒２を備えている。
【００２０】  上記鈴１は、基台６上に載置した鈴座５上に、その底面の一部を接着した状態で載置されている。
【００２１】  上記鈴棒２は、所定長さの棒体で一体構成され、その先端側の大径部には布製の緩衝被覆材を張り付けて打鈴部２ａとしている。また、この鈴棒２は、その小径の基端部２ｂ側を、上記基台６上に立設された支柱材１１の頂面上に載置した状態で回転軸１２に支承させており、該回転軸１２を中心として略水平面に沿って矢印Ｌ−Ｒ方向に回動し得るようになっている。
【００２２】  なお、この場合、上記回転軸１２は、図２に示すように、上記鈴棒２が、その打鈴部２ａの外面と上記鈴１の外面との間に隙間Ｓをもった状態で該鈴１の外面の接線上に位置するようにその配置位置が規定されている。以下においては、この時の上記鈴棒２の水平面方向における回動位置を「中立位置」という。
【００２３】  さらに、上記鈴棒２の、上記回転軸１２による支承位置より軸端寄り位置には、係止ピン１９が取り付けられている。また、上記鈴棒２が中立位置に在るとき、上記係止ピン１９から該鈴棒２の軸心に略直交する方向へ所定寸法だけ離間した位置には、支柱材１３が立設されている。そして、この支柱材１３と上記鈴棒２側の上記係止ピン１９の間には、所定径のコイルスプリング１４（特許請求の範囲中の「バネ材」に該当する）が略自由長さ（即ち、外力が掛かっていない時の長さ）の状態で取り付けられている。
【００２４】  したがって、上記鈴棒２は、これに外力が掛かっていない状態（即ち、上記係合ピン１７との摺接係合による回動力及び上記コイルスプリング１４のバネ力が共にかかっていない状態）では、上記コイルスプリング１４によってその中立位置を維持し、その打鈴部２ａと上記鈴１の間に配置間隔Ｓが確保されることになる。
【００２５】  一方、上記鈴棒２の軸端側の側面には、係合カム部１８が設けられている。また、この係合カム部１８の側方には、その周縁近くに係合ピン１７を突設した回転板１６が配置されている。そして、この回転板１６は、上記基台６に設けたブラケット２６にその軸心を上下方向に向けた状態で固定支持されたモータ１５の回転軸に取り付けられている。
【００２６】  したがって、上記回転板１６が上記モータ１５により矢印Ｍ方向に回転駆動されることで、該回転板１６に突設した上記係合ピン１７が上記鈴棒２の係合カム部１８に摺接係合し、該係合ピン１７が図２に符号１７で示す位置（係合ピン１７が上記係合カム部１８への摺接を開始する位置）から鎖線図示する符号１７´で示す位置（係合ピン１７の上記係合カム部１８への摺接状態が解除される位置）まで移動する間に、上記鈴棒２はその中立位置（図２の実線図示する位置）から上記回転軸１２を中心として矢印Ｒ方向へ回動して鎖線図示する符号２Ａで示す位置に達する。
【００２７】  この状態においては、上記鈴棒２の回動変位に伴って、上記コイルスプリング１４がその自由長さ状態から次第に伸長し、所要の弾発力を蓄える。したがって、上記係合ピン１７が符号１７´の位置からさらに矢印Ｍ方向に回動して上記係合カム部１８との摺接係合が解除されると、上記鈴棒２は上記コイルスプリング１４の弾発力によって、上記回転軸１２を中心に矢印Ｌ方向へ瞬時に回動し、符号２Ｂで示す位置において上記打鈴部２ａが上記鈴１に衝突してこれを打ち鳴らし、その後、上記コイルスプリング１４の自由長さへの復元力によって中立位置まで復帰回動し、この中立位置で停止して次回の打鈴に備えて待機する。
【００２８】  このような上記鈴棒２による打鈴作動が上記回転板１６の１回転ごとに繰り返されることで、所定間隔ごとに上記鈴１が打ち鳴らされ、例えば、通夜の席において人が所定間隔で鈴１を鈴棒２で叩いて鳴らす場合と同様の打鈴状態が得られる。なお、上記モータ１５は、速度可変式モータとされており、このモータ１５の速度の増減調整によって上記鈴棒２による上記鈴１への打鈴間隔が調整される。
【００２９】  また、上記鈴棒２により上記鈴１を打ち鳴らした際の鈴音の強さは、上記コイルスプリング１４のバネ常数の大きさによって（即ち、上記コイルスプリング１４の弾発力の大きさによって）変化するため、例えば、バネ常数の異なるコイルスプリング１４を複数種類用意し、必要に応じてこれを選択使用することで、鈴１の鈴音の強さを調整することができる。なお、この実施形態では、「バネ材」としてコイルスプリング１４を用いているが、本願発明は係る構成に限定されるものではなく、例えば、「バネ材」として板バネなども使用できる。
【００３０】  さらに、鈴音の余韻も、例えば、昼間は長く、夜間は短くしたいとの要望も考えられる。この実施形態では、上述のように上記鈴棒２の中立位置において該鈴棒２の打鈴部２ａと上記鈴１の間に隙間Ｓをとって鈴音の減衰を遅らせて余韻を長くとるようにしているが、例えば、上記鈴棒２の中立位置において上記打鈴部２ａを上記鈴１に接触するようにして上記隙間Ｓを無くすれば、鈴音が早期に減衰され、鈴音の余韻を短くすることができる。
【００３１】  また、この実施形態においては、上記回転板１６と上記モータ１５によって特許請求の範囲中の「鈴棒駆動部３」が構成され、上記鈴棒２の上記係合カム部１８と上記係合ピン１７を備えた上記回転板１６で特許請求の範囲中の「カム機構２０」が構成され、さらに上記係合ピン１７を備えた上記回転板１６によって特許請求の範囲中の「作動制御部４」が構成される。
【００３２】「第２の実施形態」
図３及び図４には、本願発明の第２の実施形態に係る打鈴装置Ｚを示している。この打鈴装置Ｚは、間欠的な鈴鳴らしを長時間に亘って自動的行うものであって、金属製椀状の鈴１と、該鈴１を打ち鳴らすための鈴棒２を備えている。
【００３３】  上記鈴１は、基台６上に載置した鈴座５上に、その底面の一部を接着した状態で載置されている。
【００３４】  上記鈴棒２は、所定長さの棒体で一体構成され、その先端側の大径部には布製の緩衝被覆材を張り付けて打鈴部２ａとしている。また、この鈴棒２は、その小径の基端部２ｂ側を、上記基台６上に立設された支柱材１１の頂面上に載置した状態で回転軸１２に支承させており、該回転軸１２を中心として略水平面に沿って矢印Ｌ−Ｒ方向に回動し得るようになっている。
【００３５】  なお、この場合、上記回転軸１２は、図４に示すように、上記鈴棒２が、その打鈴部２ａの外面と上記鈴１の外面との間に隙間Ｓをもった状態で該鈴１の外面の接線上に位置するようにその配置位置が規定されている。以下においては、この時の上記鈴棒２の水平面方向における回動位置を「中立位置」という。
【００３６】  さらに、上記鈴棒２の、上記回転軸１２による支承位置より軸端寄り位置には、係止ピン２４が取り付けられている。また、上記鈴棒２が中立位置に在るとき、上記係止ピン２４から該鈴棒２の軸心に略直交する方向へ所定寸法だけ離間した位置には、作動子２３を備えたソレノイド２２が配置されている。そして、上記ソレノイド２２の作動子２３と上記鈴棒２側の上記係止ピン２４の間には、所定径のコイルスプリング１４（特許請求の範囲中の「バネ材」に該当する）が略自由長さ状態（即ち、外力が掛かっていない時の長さ）で取り付けられている。
【００３７】  したがって、上記鈴棒２は、これに外力が掛かっていない状態（即ち、上記コイルスプリング２１のバネ力が掛かっていない状態）では、上記コイルスプリング１４によってその中立位置を維持し、その打鈴部２ａと上記鈴１の間に配置間隔Ｓが確保されることになる。
【００３８】  なお、上記ソレノイド２２は、ＯＦＦ状態では上記作動子２３が前方（矢印Ｆ方向）へ突出した状態で保持され、ＯＦＦ状態からＯＮ状態とされるとソレノイドコイルが励磁され、上記作動子２３が後方側（矢印Ｂ方向）へ引き込まれる。この際、上記コイルスプリング２１を介して上記作動子２３の変位が上記鈴棒２の係止ピン２４側に伝達され、該鈴棒２は中立位置から矢印Ｌ方向に回動し、その打鈴部２ａが上記鈴１の側面に衝突してこれを打ち鳴らす。その後、上記ソレノイド２２がＯＦＦ作動し上記作動子２３が矢印Ｂ方向へ変位することで、上記鈴棒２は中立位置へ復帰し、次回の打鈴に備えて待機する。
【００３９】  このような上記鈴棒２による打鈴作動が上記ソレノイド２２のＯＮ作動ごとに繰り返されることで、所定間隔ごとに上記鈴１が打ち鳴らされ、例えば、通夜の席において人が所定間隔で鈴１を鈴棒２で叩いて鳴らす場合と同様の打鈴状態が得られる。
【００４０】  なお、このソレノイド２２の間欠作動は、上記基台６内に配置した間欠タイマー２７とリレースイッチ２５によって実現される。また、上記鈴棒２による上記鈴１の打鈴間隔は、該間欠タイマー２７の設定時間の増減によって調整される。
【００４１】  また、上記鈴棒２により上記鈴１を打ち鳴らした際の鈴音の強さは、上記鈴棒２が中立位置に在る場合における該鈴棒２の打鈴部２ａと上記鈴１の側面との間の隙間Ｓの大きさ（即ち、上記鈴棒２の振り幅の大きさ）によって変化するため、必要に応じてこの隙間ＳＤの大きさを調整すれば上記鈴１の鈴音の強さを調整することができる。
【００４２】  さらに、鈴音の余韻も、例えば、昼間は長く、夜間は短くしたいとの要望も考えられる。この実施形態では、上述のように上記鈴棒２の中立位置において該鈴棒２の打鈴部２ａと上記鈴１の間に隙間Ｓをとって鈴音の減衰を遅らせて余韻を長くとるようにしているが、例えば、上記鈴棒２の中立位置において上記打鈴部２ａを上記鈴１に接触するようにして上記隙間Ｓを無くすれば、鈴音が早期に減衰され、鈴音の余韻を短くすることができる。
【００４３】  また、この実施形態においては、上記ソレノイド２２によって特許請求の範囲中の「鈴棒駆動部３」が構成され、さらに上記リレースイッチ２５と間欠タイマー２７によって特許請求の範囲中の「作動制御部４」が構成される。
【産業上の利用可能性】
【００４４】  本願発明に係る打鈴装置は、仏事一般において広く利用し得るものである。
【符号の説明】
【００４５】    １  ・・鈴
２  ・・鈴棒
３  ・・鈴棒駆動部
４  ・・作動制御部
５  ・・鈴座
６  ・・基台
１１  ・・支柱材
１２  ・・回転軸
１３  ・・支柱材
１４  ・・コイルスプリング（バネ材）
１５  ・・モータ
１６  ・・回転板
１７  ・・係合ピン
１８  ・・係合カム部
１９  ・・係止ピン
２０  ・・カム機構
２１  ・・コイルスプリング（バネ材）
２２  ・・ソレノイド
２３  ・・作動子
２４  ・・係止ピン
２５  ・・リレースイッチ
２６  ・・ブラケット
【図１】
2019170990.tif 000003
【図２】
2019170990.tif 000004
【図３】
2019170990.tif 000005
【図４】
2019170990.tif 000006
【手続補正書】
【提出日】平成30年9月1日(2018.9.1)
【手続補正１】
【補正対象書類名】特許請求の範囲
【補正対象項目名】全文
【補正方法】変更
【補正の内容】
【特許請求の範囲】
【請求項１】
金属製椀状の鈴（１）と、
該鈴（１）を打ち鳴らすための鈴棒（２）であって、軸方向中間位置が略鉛直方向に延びる回転軸（１２）によって略水平方向に搖動可能に枢支された鈴棒（２）と、
該鈴棒（２）を駆動して上記鈴（１）を打ち鳴らす鈴棒駆動部（３）であって、略水平面に沿って回転駆動される係合ピン（１７）と上記鈴棒（２）の端部に設けた係合カム部（１８）との係合によって該鈴棒（２）を上記回転軸（１２）を中心として反打鈴方向に所定幅だけ回動させるカム機構（２０）と、上記カム機構（２０）によって上記鈴棒（２）が反打鈴方向に回動された状態において該鈴棒（２）を打鈴方向に回動付勢するとともに、該カム機構（２０）による回動作用が解除された状態では上記鈴棒（２）を中立位置に復帰回動させるバネ材（１４）で構成される鈴棒駆動部（３）と、
該鈴棒駆動部（３）を所定間隔で間欠的に作動させる作動制御部（４）を備えたことを特徴とする打鈴装置。
【請求項２】
金属製椀状の鈴（１）と、該鈴（１）を打ち鳴らすための鈴棒（２）と、該鈴棒（２）を駆動して上記鈴（１）を打ち鳴らす鈴棒駆動部（３）と、該鈴棒駆動部（３）を所定間隔で間欠的に作動させる作動制御部（４）を備え打鈴装置において、
上記鈴棒駆動部（３）が、軸方向中間位置が略鉛直方向に延びる回転軸（１２）によって略水平方向に搖動可能に枢支された上記鈴棒（２）を打鈴方向に回動付勢するように配置されたバネ材（１４）と、該バネ材（１４）の端部にその作動子（２３）が連結され且つそのＯＮ作動時に上記バネ材（１４）に引張力を負荷するソレノイド（２２）で構成される一方、
上記作動制御部（４）は、上記ソレノイド（２２）に間欠的に電流を供給するリレースイッチ（２５）で構成されていることを特徴とする打鈴装置。
【手続補正２】
【補正対象書類名】明細書
【補正対象項目名】全文
【補正方法】変更
【補正の内容】
【発明の詳細な説明】
【技術分野】
【０００１】  本願発明は、仏事において使用される仏具の一つであって、鈴とこれを打つ鈴棒で構成される打鈴装置に関するものである。
【背景技術】
【０００２】  仏式葬儀の通夜の席においては、鈴の音によって死者の魂を黄泉の国に導くという磐余から、近親者が被葬者の枕元で鈴を打ち鳴らし続けるのが通例となっている。【０００３】  しかし、一晩中、鈴を打ち鳴らし続けるのは精神的、肉体的にかなり厳しく、特に昨今のように核家族化の進展により通夜の席に訪れる人数が少なくなる状況下においては、少人数が交替で鈴を打ち鳴らし続けなければならないことが多く、これらの者に過度の負担を与えることになることから、何らかの対策、例えば、人手を煩わせることなく鈴を鳴らし続けるための技術の開発が要請されるところである。【０００５】  しかしながら、現時点においては、特許文献１，２にも開示されるように、鈴及び鈴を鳴らす鈴棒についての提案は多数されているものの、人手を煩わせることなく鈴を鳴らし続けるための技術に関しては、何らの提案もされていない。
【先行技術文献】
【特許文献】
【０００６】
【特許文献１】実用新案登録第３０９１５６５号公報
【特許文献２】特開２００７−５４２８７号公報
【発明の概要】
【発明が解決しようとする課題】
【０００７】  そこで本願発明は、鈴を所定の打鈴間隔で自動的に鳴らし続けることができる打鈴装置を提供することを目的としてなされたものである。
【課題を解決するための手段】
【０００８】  本願発明ではかかる課題を解決するための具体的手段として次のような構成を採用している。【０００９】  本願の第１の発明に係る打鈴装置では、金属製椀状の鈴（１）と、該鈴（１）を打ち鳴らすための鈴棒（２）であって、軸方向中間位置が略鉛直方向に延びる回転軸（１２）によって略水平方向に搖動可能に枢支された鈴棒（２）と、該鈴棒（２）を駆動して上記鈴（１）を打ち鳴らす鈴棒駆動部（３）であって、略水平面に沿って回転駆動される係合ピン（１７）と上記鈴棒（２）の端部に設けた係合カム部（１８）との係合によって該鈴棒（２）を上記回転軸（１２）を中心として反打鈴方向に所定幅だけ回動させるカム機構（２０）と、上記カム機構（２０）によって上記鈴棒（２）が反打鈴方向に回動された状態において該鈴棒（２）を打鈴方向に回動付勢するとともに、該カム機構（２０）による回動作用が解除された状態では上記鈴棒（２）を中立位置に復帰回動させるバネ材（１４）で構成される鈴棒駆動部（３）と、該鈴棒駆動部（３）を所定間隔で間欠的に作動させる作動制御部（４）を備えたことを特徴としている。【００１０】  本願の第２の発明では、金属製椀状の鈴（１）と、該鈴（１）を打ち鳴らすための鈴棒（２）と、該鈴棒（２）を駆動して上記鈴（１）を打ち鳴らす鈴棒駆動部（３）と、該鈴棒駆動部（３）を所定間隔で間欠的に作動させる作動制御部（４）を備え打鈴装置において、上記鈴棒駆動部（３）が、軸方向中間位置が略鉛直方向に延びる回転軸（１２）によって略水平方向に搖動可能に枢支された上記鈴棒（２）を打鈴方向に回動付勢するように配置されたバネ材（１４）と、該バネ材（１４）の端部にその作動子（２３）が連結され且つそのＯＮ作動時に上記バネ材（１４）に引張力を負荷するソレノイド（２２）で構成される一方、上記作動制御部（４）は、上記ソレノイド（２２）に間欠的に電流を供給するリレースイッチ（２５）で構成されていることを特徴としている。
【発明の効果】
【００１１】  本願発明では次のような効果が得られる。【００１２】  （ａ）本願の第１の発明
本願の第１の発明に係る鈴装置では、金属製椀状の鈴１と、該鈴１を打ち鳴らすための鈴棒２と、該鈴棒２を駆動して上記鈴１を打ち鳴らす鈴棒駆動部３と、該鈴棒駆動部３を所定間隔で間欠的に作動させる作動制御部４を備えているので、鈴１を自動的に所定間隔で打ち鳴らし続けることができ、例えば、これを通夜の席において使用すれば、人手を煩わせることなく長時間に亘って自動的に鈴１を打ち鳴らし続けることができるため、通夜の席での鈴鳴らしの労力が解消され、特に鈴鳴らしをする立場にあった近親者等にとっては極めて有益である。【００１３】  また、鈴１を鈴棒２によって打鈴するという形態は、人手によって鈴１を鈴棒２によって打鈴して鳴らす場合と共通するところから、周囲の人々に与える違和感は少なく、通夜の厳粛な雰囲気が保たれる。【００１４】（ｂ）本願の第２の発明に係る鈴装置では、金属製椀状の鈴１と、該鈴１を打ち鳴らすための鈴棒２と、該鈴棒２を駆動して上記鈴１を打ち鳴らす鈴棒駆動部３と、該鈴棒駆動部３を所定間隔で間欠的に作動させる作動制御部４を備え打鈴装置において、上記鈴棒駆動部３を、軸方向中間位置が略鉛直方向に延びる回転軸１２によって略水平方向に搖動可能に枢支された上記鈴棒２を打鈴方向に回動付勢するように配置されたバネ材１４と、該バネ材１４の端部にその作動子２３が連結され且つそのＯＮ作動時に上記バネ材１４に引張力を負荷するソレノイド２２で構成する一方、上記作動制御部４は、上記ソレノイド２２に間欠的に電流を供給するリレースイッチ２５で構成したので、該ソレノイド２２の作動速度が速くても、上記鈴棒２とソレノイド２２の作動子２３の間には上記バネ材１４が存在しており、このバネ材１４が上記鈴１と上記鈴棒２の衝突力を緩和させるクッション的な役目をなし、人手によって鈴１を鈴棒２で打鈴して鳴らす場合と遜色のない軟らかい音色で鈴１を鳴らすことができる。【００１５】  また、上記ソレノイド２２のＯＮ−ＯＦＦ動作がリレースイッチ２５によって行われることで、該ソレノイド２２の作動の確実性、延いては上記鈴棒２による打鈴動作の確実性が担保され、打鈴装置の信頼性が向上する。
【図面の簡単な説明】
【００１６】
【図１】  本願発明の第１の実施形態に係る打鈴装置の全体斜視図である。
【図２】  図１に示した打鈴装置の平面図である。
【図３】  本願発明の第２の実施形態に係る打鈴装置の全体斜視図である。
【図４】  図３に示した鈴装置の平面図である。
【発明を実施するための形態】
【００１７】「第１の実施形態」
図１及び図２には、本願発明の第１の実施形態に係る打鈴装置Ｚを示している。この打鈴装置Ｚは、間欠的な鈴鳴らしを長時間に亘って自動的行うものであって、金属製椀状の鈴１と、該鈴１を打ち鳴らすための鈴棒２を備えている。
【００１８】  上記鈴１は、基台６上に載置した鈴座５上に、その底面の一部を接着した状態で載置されている。
【００１９】  上記鈴棒２は、所定長さの棒体で一体構成され、その先端側の大径部には布製の緩衝被覆材を張り付けて打鈴部２ａとしている。また、この鈴棒２は、その小径の基端部２ｂ側を、上記基台６上に立設された支柱材１１の頂面上に載置した状態で回転軸１２に支承させており、該回転軸１２を中心として略水平面に沿って矢印Ｌ−Ｒ方向に回動し得るようになっている。
【００２０】  なお、この場合、上記回転軸１２は、図２に示すように、上記鈴棒２が、その打鈴部２ａの外面と上記鈴１の外面との間に隙間Ｓをもった状態で該鈴１の外面の接線上に位置するようにその配置位置が規定されている。以下においては、この時の上記鈴棒２の水平面方向における回動位置を「中立位置」という。
【００２１】  さらに、上記鈴棒２の、上記回転軸１２による支承位置より軸端寄り位置には、係止ピン１９が取り付けられている。また、上記鈴棒２が中立位置に在るとき、上記係止ピン１９から該鈴棒２の軸心に略直交する方向へ所定寸法だけ離間した位置には、支柱材１３が立設されている。そして、この支柱材１３と上記鈴棒２側の上記係止ピン１９の間には、所定径のコイルスプリング１４（特許請求の範囲中の「バネ材」に該当する）が略自由長さ（即ち、外力が掛かっていない時の長さ）の状態で取り付けられている。
【００２２】  したがって、上記鈴棒２は、これに外力が掛かっていない状態（即ち、上記係合ピン１７との摺接係合による回動力及び上記コイルスプリング１４のバネ力が共にかかっていない状態）では、上記コイルスプリング１４によってその中立位置を維持し、その打鈴部２ａと上記鈴１の間に配置間隔Ｓが確保されることになる。
【００２３】  一方、上記鈴棒２の軸端側の側面には、係合カム部１８が設けられている。また、この係合カム部１８の側方には、その周縁近くに係合ピン１７を突設した回転板１６が配置されている。そして、この回転板１６は、上記基台６に設けたブラケット２６にその軸心を上下方向に向けた状態で固定支持されたモータ１５の回転軸に取り付けられている。
【００２４】  したがって、上記回転板１６が上記モータ１５により矢印Ｍ方向に回転駆動されることで、該回転板１６に突設した上記係合ピン１７が上記鈴棒２の係合カム部１８に摺接係合し、該係合ピン１７が図２に符号１７で示す位置（係合ピン１７が上記係合カム部１８への摺接を開始する位置）から鎖線図示する符号１７´で示す位置（係合ピン１７の上記係合カム部１８への摺接状態が解除される位置）まで移動する間に、上記鈴棒２はその中立位置（図２の実線図示する位置）から上記回転軸１２を中心として矢印Ｒ方向へ回動して鎖線図示する符号２Ａで示す位置に達する。
【００２５】  この状態においては、上記鈴棒２の回動変位に伴って、上記コイルスプリング１４がその自由長さ状態から次第に伸長し、所要の弾発力を蓄える。したがって、上記係合ピン１７が符号１７´の位置からさらに矢印Ｍ方向に回動して上記係合カム部１８との摺接係合が解除されると、上記鈴棒２は上記コイルスプリング１４の弾発力によって、上記回転軸１２を中心に矢印Ｌ方向へ瞬時に回動し、符号２Ｂで示す位置において上記打鈴部２ａが上記鈴１に衝突してこれを打ち鳴らし、その後、上記コイルスプリング１４の自由長さへの復元力によって中立位置まで復帰回動し、この中立位置で停止して次回の打鈴に備えて待機する。
【００２６】  このような上記鈴棒２による打鈴作動が上記回転板１６の１回転ごとに繰り返されることで、所定間隔ごとに上記鈴１が打ち鳴らされ、例えば、通夜の席において人が所定間隔で鈴１を鈴棒２で叩いて鳴らす場合と同様の打鈴状態が得られる。なお、上記モータ１５は、速度可変式モ−タとされており、このモータ１５の速度の増減調整によって上記鈴棒２による上記鈴１への打鈴間隔が調整される。
【００２７】  また、上記鈴棒２により上記鈴１を打ち鳴らした際の鈴音の強さは、上記コイルスプリング１４のバネ常数の大きさによって（即ち、上記コイルスプリング１４の弾発力の大きさによって）変化するため、例えば、バネ常数の異なるコイルスプリング１４を複数種類用意し、必要に応じてこれを選択使用することで、鈴１の鈴音の強さを調整することができる。なお、この実施形態では、「バネ材」としてコイルスプリング１４を用いているが、本願発明は係る構成に限定されるものではなく、例えば、「バネ材」として板バネなども使用できる。
【００２８】  さらに、鈴音の余韻も、例えば、昼間は長く、夜間は短くしたいとの要望も考えられる。この実施形態では、上述のように上記鈴棒２の中立位置において該鈴棒２の打鈴部２ａと上記鈴１の間に隙間Ｓをとって鈴音の減衰を遅らせて余韻を長くとるようにしているが、例えば、上記鈴棒２の中立位置において上記打鈴部２ａを上記鈴１に接触するようにして上記隙間Ｓを無くすれば、鈴音が早期に減衰され、鈴音の余韻を短くすることができる。
【００２９】  また、この実施形態においては、上記回転板１６と上記モータ１５によって特許請求の範囲中の「鈴棒駆動部３」が構成され、上記鈴棒２の上記係合カム部１８と上記係合ピン１７を備えた上記回転板１６で特許請求の範囲中の「カム機構２０」が構成され、さらに上記係合ピン１７を備えた上記回転板１６によって特許請求の範囲中の「作動制御部４」が構成される。
【００３０】「第２の実施形態」
図３及び図４には、本願発明の第２の実施形態に係る打鈴装置Ｚを示している。この打鈴装置Ｚは、間欠的な鈴鳴らしを長時間に亘って自動的行うものであって、金属製椀状の鈴１と、該鈴１を打ち鳴らすための鈴棒２を備えている。
【００３１】  上記鈴１は、基台６上に載置した鈴座５上に、その底面の一部を接着した状態で載置されている。
【００３２】  上記鈴棒２は、所定長さの棒体で一体構成され、その先端側の大径部には布製の緩衝被覆材を張り付けて打鈴部２ａとしている。また、この鈴棒２は、その小径の基端部２ｂ側を、上記基台６上に立設された支柱材１１の頂面上に載置した状態で回転軸１２に支承させており、該回転軸１２を中心として略水平面に沿って矢印Ｌ−Ｒ方向に回動し得るようになっている。
【００３３】  なお、この場合、上記回転軸１２は、図４に示すように、上記鈴棒２が、その打鈴部２ａの外面と上記鈴１の外面との間に隙間Ｓをもった状態で該鈴１の外面の接線上に位置するようにその配置位置が規定されている。以下においては、この時の上記鈴棒２の水平面方向における回動位置を「中立位置」という。
【００３４】  さらに、上記鈴棒２の、上記回転軸１２による支承位置より軸端寄り位置には、係止ピン２４が取り付けられている。また、上記鈴棒２が中立位置に在るとき、上記係止ピン２４から該鈴棒２の軸心に略直交する方向へ所定寸法だけ離間した位置には、作動子２３を備えたソレノイド２２が配置されている。そして、上記ソレノイド２２の作動子２３と上記鈴棒２側の上記係止ピン２４の間には、所定径のコイルスプリング１４（特許請求の範囲中の「バネ材」に該当する）が略自由長さ状態（即ち、外力が掛かっていない時の長さ）で取り付けられている。
【００３５】  したがって、上記鈴棒２は、これに外力が掛かっていない状態（即ち、上記コイルスプリング２１のバネ力が掛かっていない状態）では、上記コイルスプリング１４によってその中立位置を維持し、その打鈴部２ａと上記鈴１の間に配置間隔Ｓが確保されることになる。
【００３６】  なお、上記ソレノイド２２は、ＯＦＦ状態では上記作動子２３が前方（矢印Ｆ方向）へ突出した状態で保持され、ＯＦＦ状態からＯＮ状態とされるとソレノイドコイルが励磁され、上記作動子２３が後方側（矢印Ｂ方向）へ引き込まれる。この際、上記コイルスプリング２１を介して上記作動子２３の変位が上記鈴棒２の係止ピン２４側に伝達され、該鈴棒２は中立位置から矢印Ｌ方向に回動し、その打鈴部２ａが上記鈴１の側面に衝突してこれを打ち鳴らす。その後、上記ソレノイド２２がＯＦＦ作動し上記作動子２３が矢印Ｂ方向へ変位することで、上記鈴棒２は中立位置へ復帰し、次回の打鈴に備えて待機する。
【００３７】  このような上記鈴棒２による打鈴作動が上記ソレノイド２２のＯＮ作動ごとに繰り返されることで、所定間隔ごとに上記鈴１が打ち鳴らされ、例えば、通夜の席において人が所定間隔で鈴１を鈴棒２で叩いて鳴らす場合と同様の打鈴状態が得られる。
【００３８】  なお、このソレノイド２２の間欠作動は、上記基台６内に配置した間欠タイマー２７とリレースイッチ２５によって実現される。また、上記鈴棒２による上記鈴１の打鈴間隔は、該間欠タイマー２７の設定時間の増減によって調整される。
【００３９】  また、上記鈴棒２により上記鈴１を打ち鳴らした際の鈴音の強さは、上記鈴棒２が中立位置に在る場合における該鈴棒２の打鈴部２ａと上記鈴１の側面との間の隙間Ｓの大きさ（即ち、上記鈴棒２の振り幅の大きさ）によって変化するため、必要に応じてこの隙間ＳＤの大きさを調整すれば上記鈴１の鈴音の強さを調整することができる。
【００４０】  さらに、鈴音の余韻も、例えば、昼間は長く、夜間は短くしたいとの要望も考えられる。この実施形態では、上述のように上記鈴棒２の中立位置において該鈴棒２の打鈴部２ａと上記鈴１の間に隙間Ｓをとって鈴音の減衰を遅らせて余韻を長くとるようにしているが、例えば、上記鈴棒２の中立位置において上記打鈴部２ａを上記鈴１に接触するようにして上記隙間Ｓを無くすれば、鈴音が早期に減衰され、鈴音の余韻を短くすることができる。
【００４１】  また、この実施形態においては、上記ソレノイド２２によって特許請求の範囲中の「鈴棒駆動部３」が構成され、さらに上記リレースイッチ２５と間欠タイマー２７によって特許請求の範囲中の「作動制御部４」が構成される。
【産業上の利用可能性】
【００４２】  本願発明に係る打鈴装置は、仏事一般において広く利用し得るものである。
【符号の説明】
【００４３】    １  ・・鈴
２  ・・鈴棒
３  ・・鈴棒駆動部
４  ・・作動制御部
５  ・・鈴座
６  ・・基台
１１  ・・支柱材
１２  ・・回転軸
１３  ・・支柱材
１４  ・・コイルスプリング（バネ材）
１５  ・・モータ
１６  ・・回転板
１７  ・・係合ピン
１８  ・・係合カム部
１９  ・・係止ピン
２０  ・・カム機構
２１  ・・コイルスプリング（バネ材）
２２  ・・ソレノイド
２３  ・・作動子
２４  ・・係止ピン
２５  ・・リレースイッチ
２６  ・・ブラケット